(57)【要約】【課題】  多数のＱｏＳデータソースを単一のグラフィックオブジェクトに統合するグラフィック表示の必要性、並びに、多くのデータ構成要素をユーザがアクセスし易いように管理する強化された表示方法を提供する。【解決手段】  被試験システムからデータを収集するステップと、サービス品質パラメータを識別するステップと、前記被試験システムから収集した前記データに基づいてサービス品質パラメータの値を生成するステップと、前記値を、パラメータを示す第１の軸と、  パラメータの値を示す第２の軸と、時間を示す第３の軸とを有する三次元グラフ上にグラフ化するステップとを含む。【選択図】        図３
2006311554.tif 000002
【特許請求の範囲】
【請求項１】
被試験システムからデータを収集するステップと、
サービス品質パラメータを識別するステップと、
前記被試験システムから収集した前記データに基づいてサービス品質パラメータの値を生成するステップと、
前記値を、
パラメータを示す第１の軸と、
パラメータの値を示す第２の軸と、
時間を示す第３の軸とを有する三次元グラフ上にグラフ化するステップと、
を含むことを特徴とするサービス品質情報を表示する方法。
【請求項２】
前記サービス品質パラメータの１つが、他のサービス品質パラメータに基づいて計算された集約サービス品質パラメータとして構成されていることを特徴とする請求項１に記載の方法。
【請求項３】
前記サービス品質パラメータが、通話設定時間（ＭＯ）、呼確立時間（ＭＴ）、位置領域更新時間、ＩＲＡＴハンドオーバー時間、通話設定時間、ＲＲＣ接続要求−＞警報、呼確立時間、ビデオローディング時間、ビデオピクチャフレームレート、Ｈ．２４５再送信レート；ペイロードビットレート、音声パケット誤り率、ビデオピクチャビット誤り率、アタッチ時間、ＷＡＰページングローディング時間、ストリーミングローディング時間、ＰＤＰコンテキスト活動化、及びルーティング領域更新時間を含むグループから選択されることを特徴とする請求項１に記載の方法。
【請求項４】
前記サービス品質パラメータが、ＲＲＣセットアップ成功率、＃ＲＲＣ接続セットアップ完了／＃ＲＲＣ接続要求、ＲＡＢ確立成功率、ドロップコールレート、ページング成功率、位置領域更新成功率、活動化ＰＤＰコンテキスト成功率、ＩＲＡＴハンドオーバー成功率（１）、ＩＲＡＴハンドオーバー成功率（２）、活動化セット更新成功率、セル更新成功率、及びチャネル交換成功率を含むグループから選択されることを特徴とする請求項１に記載の方法。
【請求項５】
モバイルネットワークから収集されたデータに基づいてサービス品質パラメータの値を生成するステップと、
前記値を、
前記パラメータを示す第１の軸と、
前記パラメータの値を示す第２の軸と、
時間を示す第３の軸とを有する三次元グラフ上にグラフ化するステップと、
を有することを特徴とするモバイルネットワークにおけるサービス品質を表示する方法。
【発明の詳細な説明】
【技術分野】
【０００１】
本発明は、モバイルネットワークにおけるサービス品質を描写する方法及び装置に関する。
【背景技術】
【０００２】
現在、第３世代無線通信システム（一般に、３Ｇシステムと呼ばれる）が、設計され、作成され、実用化されてきている。３Ｇシステムは、一般に、最高２ギガバイト／秒（Ｍｂｐｓ）、場合によってはそれ以上のデータ転送速度の、文字、音声、ビデオ及びマルチメディアを含む広帯域パケット方式データ伝送として定義される。３Ｇシステムの１つの例は、ユニバーサル移動体通信システム（ＵＭＴＳ）である。
【０００３】
上述のように、３Ｇシステムの１つの例は、ユニバーサル移動体通信システムすなわちユニバーサル・モバイル・テレコミュニケーション・システム（Universal Mobile Telecommunications System ；ＵＭＴＳ）である。ＵＭＴＳは、国際電気通信連合（ＩＴＵ）ＩＭＴ−２０００体制で開発されている現在展開中のシステムである。ＵＭＴＳは、一般に、ヨーロッパで優勢なグループスペシャルモバイル（ＧＳＭ）ネットワークの後継ネットワークと考えられてきた。ＵＭＴＳは、第２世代ネットワークよりも実質的に高いデータ転送速度と高い容量を提供するために５ＭＨｚチャネルキャリア幅を使用する。この５ＭＨｚチャネルキャリアは、３Ｇネットワークを展開するコストを抑えるために、特に、一般に２ｘ１０ＭＨｚから最大２ｘ２０ＭＨｚの範囲のスペクトルの大きい連続ブロックが与えられたオペレータが無線資源を最適に使用できるようにする。第３世代移動体通信システム標準化プロジェクト（３ＧＰＰ  （ｗｗｗ．３ｇｐｐ．ｏｒｇ）を参照）によって一般的に標準化され、ペア帯域と非ペア帯域において大域的に調和されたスペクトルを使用することによって、初期段階の３Ｇ／ＵＭＴＳは、移動度が大きい状況で最大３８４ｋｂｐｓの理論ビットレートを提供し、静的／ノマディックユーザ環境では２Ｍｂｐｓもの高さになる。また、ペア（ＦＤＤ）スペクトルを使用するときのアップリンクとダウンリンクのデータ転送速度の対称性は、理想的には、３Ｇ／ＵＭＴＳがリアルタイムビデオ電話通信のような用途に適していることを意味する。
【０００４】
新しく出現した３Ｇシステムにおける様々な接続と装置を監視して問題解決する試験測定システムが利用可能である。今日の極めて競争が激しい電気通信分野において、顧客は高いネットワーク信頼性を必要としており、所望のサービスをより高いレベルでサポートするために、ネットワークを操作し、維持するコストと性能のバランスをとらなければならない。今日のパケット及び信号ネットワークの設計、問題解決、設置、及び保守に充てる時間と資源を最大にしようとする様々なネットワーク及び信号試験測定製品が様々なベンダから入手可能である。
【０００５】
サービス提供者は、ネットワークを構築し、１つ又は複数の３Ｇ規格に従うとき、ネットワークの信頼性と性能を測定して制御する装置及び方法を必要とする。一般に、サービス品質「ＱｏＳ」とは、特定の数の顧客に特定のレベルのサービスを提供するネットワークの能力を指す。ＱｏＳの取り扱いは、第３世代パートナーシップによって描かれたシステム仕様の基本概念の１つである。
【０００６】
収益を最大にするために、多くの運営者は、高い価格の高いレベルのＱｏＳを提供する。あるレベルのＱｏＳの同意を得た後で、ネットワーク提供者は、ＱｏＳに影響を及ぼす事象を測定するためにネットワークを目で監視できると有利である。そのような監視は、ネットワークのより優れた保守を容易にし、同意されて課される料金に関する疑問を最小にし、ネットワーク運営者がシステムトラフィックを最適化することを可能にする。従って、試験測定システムの提供者は、ＱｏＳ測定方法及び装置をそのハードウェアとソフトウェアに組み込む。得られる情報は、一般に、表形式で表される。ユーザは、グラフィカルユーザインタフェース内を移動することによって個々の測定値を含む様々な態様を見ることができる。
【発明の開示】
【発明が解決しようとする課題】
【０００７】
３Ｇネットワークは、一般に、多数のプロセスと機器がＱｏＳ全体に影響を及ぼすような極めて複雑なネットワークである。ＱｏＳ依存が大きくなるほど、ユーザに呈示される情報の量も増える。本発明者は、多数のＱｏＳデータソースを単一のグラフィックオブジェクトに統合するグラフィック表示の必要性を認識した。さらに、多くのデータ構成要素をユーザがアクセスし易いように管理する強化された表示方法が必要である。
【発明を実施するための最良の形態】
【０００８】
添付図面と関連して行われる本発明の以下の詳細な説明から本発明を理解することができる。
【０００９】
次に、本発明について詳細に言及し、その例を添付図面に示し、図面全体を通して類似の参照数字は類似の要素を指す。以下の詳細な説明は、コンピュータ可読媒体、関連プロセッサ、汎用パーソナルコンピュータなどの内部でデータビットの操作のルーチン及び記号表現によって実施できる方法を表す。そのような説明と表現は、当業者が自分の研究の内容を他の当業者に有効に伝えるために使用する手段である。
【００１０】
方法は、本明細書及び一般において、所望の結果を導き出す一連のステップ又は操作と考えられ、従って、「ルーチン」、「プログラム」、「オブジェクト」、「関数」、「サブルーチン」、「手順」のような技術用語を含む。本明細書で説明する方法は、必要な信号処理機能を備えたコンピュータとインタフェースに記憶されたルーチンによって選択的に活動化又は再構成される汎用コンピュータや他のネットワーク装置上で動作することができる。より端的に言うと、本明細書に示した方法は、本質的にいかなる特定の装置にも関連付けられず、むしろ請求する方法を実施するために様々な装置を使用することができる。本発明を実施するために役立つ装置には、ＡＧＩＬＥＮＴ  ＴＥＣＨＮＯＬＯＧＩＥＳ社やＨＥＷＬＥＴＴ  ＰＡＣＫＡＲＤ社ならびに他のコンピュータとネットワーク装置メーカーによって製造された装置がある。
【００１１】
本明細書で説明するソフトウェアに関して、当業者は、本明細書で概説する方法を実行するソフトウェアを作成するための様々なプラットフォーム及びプログラム言語があることを理解するであろう。本発明の実施形態は、多くの様々なプログラム言語のいずれを使用して実施することもでき、その１つの例はＪＡＶＡ（登録商標）であるが、当業者は、また、厳密なプラットフォームと言語の選択が、構成された実際のシステムの詳細によって指定される場合が多く、それにより、あるタイプのシステムに都合がよいものが別のシステムには効率的でない場合もあることが分かる。また、本明細書に示した方法は、マイクロプロセッサ上のソフトウェアとして実行されるように限定されず、他のタイプのプロセッサでも実施できることを理解されたい。例えば、方法は、ＡＳＩＣ（特定用途向け集積回路）においてＨＤＬ（ハードウェア設計言語）によって実施されてもよい。さらに、ソリューションは、単一コンピュータで実行されてもよく、タスクのサブセットをそれぞれ実行する複数のコンピュータにわたってもよい。
【００１２】
以下の説明は、ＵＭＴＳシステムと関連した用語を使用するが、当業者は、本発明が、任意の３Ｇシステム、ほとんどの２．５Ｇシステム、及び多くの１Ｇシステムを含む様々な無線システムに適用可能であることを理解するであろう。将来のほとんどのシステムは、本明細書に示した実施形態を含む本発明から利益を得ることが分かる。
【００１３】
図１は、本発明の好ましい実施形態による方法を実施することができるネットワーク解析システムのブロック図である。より具体的には、図１は、ＵＭＴＳネットワークに利用されるようなＡＧＩＬＥＮＴ ＴＥＣＨＮＯＬＯＧＩＥＳ社のＮＥＴＷＯＲＫ ＡＮＡＬＹＺＥＲ系列の製品を示す。当業者は、本発明の方法が、他のベンダからの試験測定システムにも適用され、他のネットワーク上で使用することができることを理解するであろう。
【００１４】
図１は、ＵＭＴＳネットワーク１００に適用される分散型試験測定システムを示す。ＵＭＴＳネットワーク１００は、一般に、コアネットワーク（ＣＮ）１０２、ＵＭＴＳ地上無線接続網（ＵＴＲＡＮ）１０４、及びユーザ装置（ＵＥ）１０６を含む。ＣＮ１０２の主な機能は、音声、ビデオ及びデータを含むことがあるユーザトラフィックの交換、経路指定、及び中継（ｔｒａｎｓｉｔ）を実現することである。ＣＮ１０２は、また、データベースを管理しネットワーク管理機能を実行するためのハードウェアとソフトウェアを含む。ＵＴＲＡＮ１０４は、ＵＥ１０６にエアインタフェースアクセス方法を提供する。ＵＥ１０６は、一般に、携帯電話や他のパーソナル通信装置を含む。図１に示した構成において、ＣＮ１０２は、一般に、１つ又は複数のサービングＧＰＲＳ支援ノード（ＳＧＳＮ）１１０と１つ又は複数の移動交換局／訪問者ロケーションレジスタ（ＭＳＣ／ＶＬＲ）１１２からなる。ＵＴＲＡＮ１０４は、一般に、１つ又は複数の制御装置１１２ｎ（ＵＭＴＳでは無線ネットワーク制御装置（ＲＮＣ）と呼ばれる）と、制御装置１１２ｎに結合された１つ又は複数の基地局１１０ｎ（ＵＭＴＳではノード-Ｂと呼ばれる）とを含む。基地局１１０ｎは、制御装置１１２ｎの指示によりユーザ装置１０６との通信路を構成する。
【００１５】
ＵＭＴＳネットワーク１００の様々な構成要素間の接続は、インタフェースによって容易にされる。例えば、ノード-Ｂの１２０ｎとユーザ装置１０６との間のエアインタフェースは、Ｕｕインタフェースと呼ばれ、一般にＷＣＤＭＡエアインタフェースに適合する。同様に、ノード-Ｂの１２０ｎとＲＮＣの１２２ｎとの間の通信は、Ｉｕｂインタフェースによって容易にされる。ＵＭＴＳは、ＧＳＭと違い、Ｉｕｒインタフェースと呼ばれるＲＮＣの１１２ｎ間のインタフェースを指定する。ＲＮＣの１２２ｎとコアネットワークとの間のインタフェースは、一般に、Ｉｕインタフェースと呼ばれる。ＵＭＴＳ規格の少なくとも最初の繰り返し（ｉｔｅｒａｔｉｏｎ）において、回路交換接続用とパケット交換接続用にそれぞれＩｕ−ｃｓとＩｕ−ｐｓと呼ばれる別のＩｕインタフェースが指定される。少なくともＵＭＴＳの初期のバージョンでは、前述の各有線インタフェースは、非同期転送モード（ＡＴＭ）技術に基づく。
【００１６】
プローブ１５０ｎは、ＵＭＴＳ１００内で送られるシグナリングプロトコルの通信を監視する。プローブ１５０ｎは、Ａｇｉｌｅｎｔ社の分散型ネットワークアナライザ系列の製品のプローブなどであるがこれに限定されない様々なネットワークモニタのうちの任意のものを含むことができる。ＵＭＴＳ１００において利用されているシグナリングプロトコルの１つの例は、アクセスリンク制御アプリケーションパートプロトコル（ＡＬＣＡＰ）である。一般に、プローブ１５０ｎは、ＩＵＢリンク、ＩＵリンク、ＩＵＲリンクなどの様々なインタフェースを介して渡されるメッセージを受動的及び能動的に監視し収集する。図１に示したプローブ１５０ｎの接続は論理的であり、他のトポロジによって物理的接続が可能であることが分かる。従って、プローブ１５０ａは、ＲＮＣ２２２ａと、ノード-Ｂの１２０ａと１２０ｂとの間のＩｕｂインタフェースを監視する。プローブ１５０ｂは、ＲＮＣ１２２ｂとノード-Ｂの１２０ｃ及び１２０ｄとの間のＩｕｂインタフェースを監視する。プローブ１５０ｃは、ＲＮＣの１２２ａとＲＮＣの１２２ｂとの間のＩｕｒインタフェースを監視する。最後に、プローブ１５０ｄと１５０ｅとは、コアネットワーク１０２によりそれぞれＲＮＣの１２２ａと１２２ｂとの間のＩｕインタフェースを監視する。解析システム１５２は、プローブ１５０ｎからメッセージを受け取り、そのメッセージを解析し、ＵＭＴＳシステム１００の信号動作に関係する情報を提供する。解析システムは、例えば、本発明の教示により改良されたＡＧＩＬＥＮＴ社のＳＩＧＮＡＬＩＮＧ  ＡＮＡＬＹＺＥＲを含む。また、本発明には、プローブと一体化されたものを含む他の提供者からの解析システムを利用することもできる。
【００１７】
ＡＧＩＬＥＮＴ  ＴＥＣＨＮＯＬＯＧＩＥＳ社のＳＩＧＮＡＬＩＮＧ  ＡＮＡＬＹＺＥＲは、今日のネットワークの設計、問題解決、設置、及び保守に充てられる時間と資源を最大にする分散型のテスト及び解析ソリューションを提供する。ＳＩＧＮＡＬＩＮＧ  ＡＮＡＬＹＺＥＲソリューションのモジュール式設計とフレキシビリティは、技術チームが、技術者の様々な要求に完全に応える製品構成により、潜在的問題を識別し障害を迅速かつ効果的に解決することを可能にする。詳細には、Ｓｉｇｎａｌｉｎｇ  Ａｎａｌｙｚｅｒ−Ｒｅａｌｔｉｍｅ  （Ａｇｉｌｅｎｔ社部品番号Ｊ７３２６Ａ）は、主要な担当者が、生じるネットワーク問題を理解することを可能にし、膨大な量になる可能性のある診断データを使用可能な情報にする。インタフェースのフレキシビリティを最大にするために、Ｓｉｇｎａｌｉｎｇ  Ａｎａｌｙｚｅｒ−Ｒｅａｌｔｉｍｅは、Ａｇｉｌｅｎｔ社の他の分散ネットワーク解析ソリューションと同じホットスワップ可能なラインインタフェース（Ａｇｉｌｅｎｔ社部品番号Ｊ６８０１Ａ）を備えた十分に実績のあるデータ収集モジュールを使用する。代替として、Ｓｉｇｎａｌｉｎｇ  Ａｎａｌｙｚｅｒ−Ｓｏｆｔｗａｒｅ  Ｅｄｉｔｉｏｎ  （Ａｇｉｌｅｎｔ社部品番号Ｊ５４８６Ｂ）を捕捉後の解析にオフラインで使用することができる。当業者は、Ａｇｉｌｅｎｔ  Ｓｉｇｎａｌｉｎｇ系列の製品が、本発明を実施できる唯一のプローブ／解析装置ソリューションであることを理解するであろう。さらに、分散型システムが、測定システムの設置と使用に関係する問題の多くを単純化することができるが、本発明は、Ｔｅｋｔｒｏｎｉｘ社のようなベンダによって提供されるものを含む非分散型システムで実施することができる。
【００１８】
前述のように、ＱｏＳの概念は３Ｇ規格に盛り込まれてきた。３ＧＰＰは、会話型、ストリーミング、対話型、及びバックグラウンドの４つのＱｏＳクラスを定義した。表１に、ＵＭＴＳの４つの異なるトラフィッククラスを比較する。
【００１９】
【表１】
2006311554.tif 000003
【００２０】
ＵＭＴＳ指定のＱｏＳアーキテクチャは、ＱｏＳ属性によって特徴付けられたベアラサービス（ｂｅａｒｅｒ  ｓｅｒｖｉｃｅ）に依存する。ベアラサービスは、システム内の様々なポイント間で定義される。無線アクセスベアラ（ＲＡＢ）は、ＵＥとコアネットワーク間で定義される。ＲＡＢは、他の２つのベアラサービス、すなわちユーザ装置とＵＴＲＡＮ間の無線ベアラサービスとＵＴＲＡＮとコアネットワーク間のＩｕベアラサービスに依存する。コアネットワーク（ＣＮ）ベアラサービスは、公衆交換回線網（ＰＴＳＮ）などのＵＴＲＡＮと外部固定ネットワーク間で定義される。ＵＭＴＳベアラサービスは、ＵＥと外部固定ネットワーク間に広がり、従ってＲＡＢとＣＮベアラサービスに依存する。
【００２１】
ＵＭＴＳパラダイムの下では、特定のネットワークＱｏＳを実現するために、サービスの供給元から供給先まで、明確に定義された特性と機能を備えたベアラサービスが設定されなければならない。例えば、表２は、ＵＭＴＳベアラサービス属性の４つのトラフィッククラスとの関係を示す。
【００２２】
【表２】
2006311554.tif 000004
【００２３】
ベアラサービス属性は、一般に、終端間サービスの設定段階で指定される設定値を表す。しかしながら、多くは測定可能な品質である。ベアラサービスの属性との適合性を監視することによってＱｏＳ適合性を監視することができる。例えば、ＳＤＵのサイズを監視することによって、最大ＳＤＵサイズを超えたかどうかを判断することができる。もう１つの例として、残余ビット誤りを監視することによって、最大残余ビット誤り率を超えたかどうかを判断することができる。
【００２４】
３ＧＰＰは、ＱｏＳと関連する様々な特徴を定義してきたが、ＱｏＳの最終的な決定は、加入者と提供者の間で行われなければならない。従って、本発明は、任意の３Ｇ規格で定義されているようなＱｏＳの特徴に限定されず、加入者と提供者のどちらかによって識別されるような任意のＱｏＳ測定に広く適用可能である。ＱｏＳは、サービスごと、ユーザごと、ネットワークセグメントごとなどの様々な基準で決定することができる。表３及び表４は、本発明の教示に従って利用することができるＵＥ中心（表３）とネットワーク中心（表４）の観点の様々なＱｏＳ測定とを示す。図３のユーザ中心の測定に関して、測定は、スピーチ、ビデオ、及び／又はパケットの呼タイプに基づいてさらに細分される。
【００２５】
【表３】
2006311554.tif 000005
【００２６】
【表４】
2006311554.tif 000006
【００２７】
既知のシステムにおいて、ＱｏＳ属性及びＱｏＳと関連した値はこれまであったとしても表形式で表示されてきた。以上の考察に基づいて判断できるように、ＱｏＳと関係した様々な測定があり、その結果、表形式の表示は、十分なデータを取り込むことができないか、使用するにはごちゃごちゃし過ぎている。本発明の１つの実施形態において、時間がＸ軸で表され、パラメータがＺ軸上に表され、前記パラメータの値がＹ軸上に表される三次元グラフが生成される。パラメータは、一般に、ＱｏＳに関連する任意の測定とその集合体を含む。使用可能なスケールを維持するために値が正規化されることがあることに注意されたい。
【００２８】
図２は、本発明の好ましい実施形態によって表現されたグラフィック表示の実例である。（図２に使用するためにグラフ例を必要とする）
【００２９】
図３は、本発明の好ましい実施形態による方法のフローチャートである。方法はステップ３００において始まる。ステップ３０２において、監視している接続からＡＴＭセルを取得する。このセルは、Ａｇｉｌｅｎｔ社の分散型ネットワークアナライザや他の試験測定装置などのプローブを使用して取得することができる。ステップ３０４において、セルは、ＡＴＭ適応層（ＡＡＬ）フレームに再度組み立てされる。再組み立ては、Ａｇｉｌｅｎｔ社ＤＮＡの場合と同じようにプローブ内で実行することができ、再組み立ては、ラインインタフェースモジュール（ＬＩＭ）又は接続装置内で実行される。
【００３０】
ＡＴＭにおいて、ＡＡＬは、様々なクラスのアプリケーションをＡＴＭ層に適合させる。４つのタイプのＡＡＬが定義されており、そのうちの２つのＡＡＬ２及びＡＡＬ５は、一般に、モバイル固有のプロトコルによって利用される。ＡＡＬ２は、一定ビットレートを必要としない接続指向サービスに対応している。換言すると、可変ビットレートのアプリケーションはビデオ方式に適する。ＡＡＬ５は、誤り回復や組み込み再送信なしに接続指向の可変ビットレートデータサービスに対応している。このトレードオフにより、帯域幅オーバヘッドが小さくなり、処理要件が単純になり、実装の複雑さが低下する。ＡＴＭセルの再組み立ては、本出願の譲受人に譲渡され引用により本明細書に組み込まれる同時係属米国特許出願第１０／７９１，１１７号に記載されている。
【００３１】
次に、ステップ３０６において、モバイル固有のプロトコルメッセージを取り出す。その後、ステップ３０８において、取り出したプロトコルメッセージの解析に基づいて測定値を生成する。測定値は、一般に、データとコンテキストを含む。コンテキストは、測定値を生成するプローブの識別を備えたタイムスタンプでよい。データは、信号あるいは信号に関する定量的情報、例えば重要性能達成指数（ＫＰＩ）から分離された生データを含むことがある。信号プロトコルメッセージを解析して測定値を生成する様々なソフトウェア及び／又はハードウェア製品が存在する。適切なソフトウェアの１つの例は、ＡＧＩＬＥＮＴ社のＳＩＧＮＡＬＩＮＧ  ＡＮＡＬＹＺＥＲソフトウェア製品である。
【００３２】
次に、ステップ３１０において、ＱｏＳと関連した測定値を識別する。一般に、そのような識別は、ユーザ又はシステム設計者によって生成された測定値のリストを使用したフィルタリングによって実行される。これは、ＱｏＳに関連しない測定値を利用できるようにするのに有効であることが分かる。ステップ３１２において、各時間間隔ごとに、パラメータとパラメータ値が生成される。パラメータは、所定の時間間隔でグラフ上に表示される測定値や他の値の詳細である。パラメータ値は、各時間間隔ごとの関連付けられた値である。時間間隔は、システムによって固定されてもよくユーザによって設定されてもよい。多くの場合、パラメータは、単に識別した測定値（生データ値を構成することができる）を表す。他の場合において、パラメータは、識別した測定値の集合体である。さらに、いくつかのパラメータ値自体を集めて別のパラメータとパラメータ値を生成することができる。すべての場合において、未処理の値を生成されたグラフのスケールに正規化してパラメータ値を得ることができる。さらに、集約方法は、システムによって設定されもよくユーザによって定義されてもよい。可能な集約方法のいくつかの例には、平均、加算、最低値、最高値などがある。集約された測定値はパラメータと呼ばれる。一般に、パラメータ値という用語は、本発明の実施形態による方法に従って表示することができるＱｏＳと関連した任意の値を含む。そのような値は、時間の経過と共に変化する場合も変化しない場合もある。
【００３３】
次に、ステップ３１４において、パラメータとパラメータ値が、グラフィカルユーザインタフェース（ＧＵＩ）に送られ、三次元グラフを生成するために使用される。例えば、Ｘ軸上に時間、Ｚ軸上に集約値、及びＹ軸上に値を有するグラフが作成されることがある。１つの実施形態において、グラフはサーフェイスグラフを含み、他の実施形態において、グラフは、積み重ね棒グラフ、立体棒グラフ、又は時間の経過による複数のパラメータを表示する他のグラフを含むことができる。
【００３４】
本発明のいくつかの実施形態を示し説明したが、当業者は、本発明の原理及び趣旨から逸脱することなくこれらの実施形態に変更を行うことができ、その範囲が特許請求の範囲とその等価物によって定義されることを理解されたい。例えば、本発明は、ＵＭＴＳシステムに関して説明したが、本明細書の教示は、ＣＤＭＡ２０００、ＧＳＭ、ｉＤＥＮ、ＧＰＲＳ及びＥＤＧＥを含む他の３Ｇ、２Ｇ及び４Ｇシステムに適用可能である。
【００３５】
以上を要約すると、次の通りである。すなわち、本方法は、サービス情報の品質を表示する。本方法は、一般的に、被試験システムからデータを収集するステップと、サービス品質パラメータを識別するステップと、前記被試験システムから収集した前記データに基づいてサービス品質パラメータの値を計算するステップと、前記値を、パラメータを示す第１の軸と、パラメータの値を示す第２の軸と、時間を示す第３の軸とを有する三次元グラフ上にグラフ化するステップとを含む。
【図面の簡単な説明】
【００３６】
【図１】本発明の好ましい実施形態による方法を実施することができるネットワーク解析システムのブロック図である。
【図２】本発明の好ましい実施形態により構築されるグラフィック表示の図である。
【図３】本発明の好ましい実施形態による方法のフローチャートである。
【符号の説明】
【００３７】
１００  ＵＭＴＳネットワーク
１０２  コアネットワーク
１０４  ＵＭＴＳ地上無線接続網（ＵＴＲＡＮ）
１０６  ユーザ装置（ＵＥ）
１１０  サービングＧＰＲＳ支援ノード（ＳＧＳＮ）
１１２  移動交換局（ＭＳＣ）
１２０ａ、１２０ｂ、１２０ｃ、１２０ｄ  基地局（ノード-Ｂ）
１２２ａ、１２２ｂ  無線ネットワーク制御装置（ＲＮＣ））
１５０ａ、１５０ｂ、１５０ｃ、１５０ｄ  プローブ
１５２  解析システム
【図１】
2006311554.tif 000007
【図２】
2006311554.tif 000008
【図３】
2006311554.tif 000009